(57)【要約】      （修正有）【課題】仏壇設置部の左右の何れかに障害物がある場合であっても、問題なく設置できる扉構造の仏壇を提供する。【解決手段】仏壇本体１の上下各部分が同一の構造に形成されているとともに、開口部が当該仏壇本体１の前面部から側面部に亘って設けられ、同開口部を覆う扉が相互に回動自在に蝶着されて前面側開口部を覆う第１、第２の扉体２ａ、２ｂと、第２の扉体２ｂの一端に直角に結合されて側面側開口部を覆う第３の扉体２ｃよりなり、第３の扉体２ｃの一端側を回動支点、第１の扉体２ａの他端側をガイド部として、開閉作動し、前面側開口部を開放した全開状態では第１〜第３の各扉体２ａ〜２ｃが側面側開口部側方に位置するように構成した。仏壇本体１の上部側に設けられる照明器具９、仏壇本体１の下部側に設けられる抽斗ユニットが、仏壇本体１に対して着脱可能に構成されている。【選択図】図６
0003213896.tif 000002
【実用新案登録請求の範囲】
【請求項１】
箱型の仏壇本体の上下各部分が同一の構造に形成されているとともに、開口部が当該仏壇本体の前面部から側面部に亘って設けられ、同開口部を覆う扉が相互に回動自在に蝶着されて前面側開口部を覆う第１、第２の扉体と、第２の扉体の一端に直角に結合されて側面側開口部を覆う第３の扉体よりなり、仏壇本体に対し、第３の扉体の一端側を回動支点、第１の扉体の他端側をガイド部として、開閉作動し、前面側開口部を開放した全開状態では第１〜第３の各扉体が側面側開口部側方に位置するように構成してなる仏壇。
【請求項２】
仏壇本体の上部側に設けられる照明器具、仏壇本体の下部側に設けられる抽斗ユニットが、仏壇本体に対して着脱可能に構成されていることを特徴とする請求項１記載の仏壇。
【請求項３】
第１の扉板他端側のガイド部は、ボールキャスターを備えて構成されており、該ボールキャスターのボール部を、仏壇本体の天板側および底板側の左右両端間に亘って設けたガイド溝に係合して転動させることによりガイドするようになっていることを特徴とする請求項１又は２記載の仏壇。
【考案の詳細な説明】
【技術分野】
【０００１】
本願考案は、仏壇設置場所の左右両側の何れか一方側に何らかの障害物があるような場合でも、支障なく設置できる扉構造を備えた仏壇の構成に関するものである。
【背景技術】
【０００２】
仏檀の扉には、  観音開き、引き戸、押し込み扉、巻き戸、跳ね上げ扉、回転扉など各種の開閉構造のものがあるが、一般的には観音扉に代表される左右両開き構造のものが好まれる傾向にある（たとえば特許文献１、特許文献２の構成を参照）。
【先行技術文献】
【特許文献】
【０００３】
【特許文献１】特開２００８−１０１４１０号公報
【特許文献２】特開２０１５−２０５１１８号公報
【考案の概要】
【考案が解決しようとする課題】
【０００４】
ところが、マンション等の増加に伴う近年の住宅事情の下では、従来の一戸建て住宅のような余裕のある仏壇の設置場所がなく、観音扉に代表される両開き構造の扉を備えた仏壇の場合、左側又は右側に壁があるなど、開閉に障害になるケースが多くなっている。また、一戸建て住宅の場合でも、家具の存在等により、同様の状況となる場合がある。
【０００５】
本願考案は、このような問題を解決する為になされたもので、左右の何れか一方側に障害物がある設置場所の場合であっても、問題なく設置できる扉構造を備えた仏壇を提供することを目的とするものである。
【課題を解決するための手段】
【０００６】
本願考案は、上記の課題を解決するために、次のような課題解決手段を備えて構成されている。
【０００７】
（１）請求項１の考案の課題解決手段
この考案の課題解決手段では、箱型の仏壇本体の上下各部分が同一の構造に形成されているとともに、開口部が当該仏壇本体の前面部から側面部に亘って設けられ、同開口部を覆う扉が相互に回動自在に蝶着されて前面側開口部を覆う第１、第２の扉体と、第２の扉体の一端に直角に結合されて側面側開口部を覆う第３の扉体よりなり、仏壇本体に対し、第３の扉体の一端側を回動支点、第１の扉体の他端側をガイド部として、開閉作動し、前面側開口部を開放した全開状態では第１〜第３の各扉体が側面側開口部側方に位置するように構成されている。
【０００８】
この課題解決手段の構成では、まず箱型の仏壇本体の上下各部分が同一の構造に形成されている。したがって、上下の位置関係を逆にしても全く同様に使用することができる。
【０００９】
しかも、その開口部が当該仏壇本体の前面部から側面部に亘って設けられており、さらに同開口部を覆う扉が相互に回動自在に蝶着されて前面側開口部を覆う第１、第２の扉体と、第２の扉体の一端に直角に結合されて側面側開口部を覆う第３の扉体よりなり、仏壇本体に対し、第３の扉体の一端側を回動支点、第１の扉体の他端側をガイド部として、開閉作動するようになっており、前面側開口部を開放した全開状態では、第１〜第３の各扉体が側面側開口部の側方に位置するように構成されている。
【００１０】
したがって、前面側開口部を覆う正面側の扉は、閉状態では、第１第２の各扉体が左右一対の状態で並設された両開き構造の観音扉状の外観構成となり、見栄えが良くなると共に、観音扉を好むユーザーにも対応することができるようになる。
【００１１】
そして、扉全体は、仏壇本体に対し、側面側開口部を覆う第３の扉体の一端側を回動支点、同第３の扉体から第２の扉を介してリンクする第１の扉体の他端側をガイド部として、側面側開口部の方向に片開き状態で開閉され、前面側開口部を開放した全開状態では、第１〜第３の各扉体が側面側開口部の側方に位置するようになっている。
【００１２】
したがって、側面側開口部を壁や家具などの障害物のない方向に位置させて設置すれば、扉の開閉に支障をきたさなくて済むようになる。
【００１３】
一方、上記のように、以上の構成では、箱型の仏壇本体の上下各部分が同一の構造に形成されており、上下の位置関係を逆にしても全く同様に使用することができるようになっている。
【００１４】
したがって、側面側開口部の方向、すなわち扉の開き方向は、仏壇本体の上下の位置関係を逆にすることによって、左右何れの方向にも任意に選ぶことができ、向かって右側、又は左側の何れか一方の障害物のない方向に自由に設定することができる。
【００１５】
（２）請求項２の考案の課題解決手段
この考案の課題解決手段では、上記請求項１の考案の課題解決手段において、仏壇本体の上部側に設けられる照明器具、仏壇本体の下部側に設けられる抽斗ユニットが、仏壇本体に対して着脱可能に構成されていることを特徴としている。
【００１６】
このような構成になっていると、上記のように仏壇本体の上下位置を逆にして設置する場合にも、その設置状態に応じて、任意に仏壇本体の上部側に照明器具、仏壇本体の下部側に抽斗ユニットを付け替えて取り付けることができる。
【００１７】
（３）請求項３の考案の課題解決手段
この考案の課題解決手段では、上記請求項１又は請求項２の考案の課題解決手段において、第１の扉板のガイド部は、ボールキャスターを備えて構成されており、該ボールキャスターのボール部を、仏壇本体の天板側および底板側の左右両端間に亘って設けたガイド溝に係合して転動させることによりガイドするようになっていることを特徴としている。
【００１８】
このような構成によると、第１の扉板はもちろん、相互にリンクする第１〜第３の各扉体の全体が、仏壇本体の天板側および底板側の左右両端間に亘って滑らかに移動するようになり、その開閉動作がスムーズになる。
【００１９】
この場合、同仏壇本体の天板側および底板側の左右両端間に亘って設けたガイド溝の終端（開放端）位置には、例えば側面側開口部の方向に短く曲成した曲成部（ストッパ部）が設けられ、該曲成部で第１〜第３の扉体を全開状態で適切に位置規制するストッパ機能が実現される。
【考案の効果】
【００２０】
以上の結果、本願考案によると、仏壇設置場所の左右の何れかに障害物がある場合であっても、何ら問題なく設置できるようになり、従来の構成の仏壇の問題を確実に解消することが可能となる。
【図面の簡単な説明】
【００２１】
【図１】本願考案の実施の形態にかかる仏壇の仏壇本体の扉を閉めた状態の正面図である。
【図２】同仏壇本体の扉を閉めた状態の右側面図である。
【図３】同仏壇本体の扉を閉めた状態の平面図である。
【図４】同仏壇本体の図２におけるボールピボット部（第３の扉板枢支部）の詳細な構成を示す要部の拡大図である。
【図５】同仏壇本体の図１におけるボールキャスター部（第１の扉板ガイド部）の詳細な構成を示す要部の拡大図である。
【図６】同仏壇本体の扉部の開閉状態を示す３つの段階（全閉〜半開〜全開）の動作形態図である。
【図７】同仏壇本体の扉全開状態の正面図である。
【図８】同仏壇本体の扉全開状態（図７）において、照明器具、棚ユニット、抽斗ユニットを取り出した状態の正面図である。
【図９】同仏壇本体の図８の状態から上下を反転させた後の同様の状態における正面図である。
【図１０】同仏壇本体の図９の上下反転状態において、照明器具、棚ユニット、抽斗ユニットを収納、セットした状態の正面図である。
【考案を実施するための形態】
【００２２】
以下、添付の図１〜図１０に基づいて、本願考案の仏壇を実施するための具体的な形態について、詳細に説明する。
【００２３】
まず図１は、同仏壇本体の扉を閉めた状態の正面図、図２は、同仏壇本体の扉を閉めた状態の右側面図、図３は、同仏壇本体の扉を閉めた状態の平面図、図４は、同仏壇本体の図２におけるボールピボット部（扉板枢支部）の構成を示す要部の拡大図、図５は、同仏壇本体の図１におけるボールキャスター部（扉板ガイド部）の構成を示す要部の拡大図、図６は、同仏壇本体の扉部の開閉状態を示す３つの段階（全閉〜半開〜全開）の動作形態図、図７は、同仏壇本体の扉を全開した状態の正面図、図８は、同仏壇本体の扉全開状態において、照明器具、棚ユニット、抽斗ユニットを取りだした状態の正面図、図９は、同仏壇本体の図８の状態から上下を反転させた後の同様の状態における正面図、図１０は、同仏壇本体の図９の上下反転状態において、照明器具、棚ユニット、抽斗ユニットを収納した状態の正面図である。
【００２４】
＜仏壇本体部分の基本的な構成＞
この実施の形態に係る仏壇の仏壇本体１は、たとえば図１〜図３に示されるように、扉２、左右両面側の側板３Ａ，３Ｂ、背面側の背板４、上面側の天板５Ａ，底面側の底板５Ｂにより縦長の箱型構造に形成されている。そして、その平面形状は略正方形の形状となっている（図３参照）。
【００２５】
そして、該仏壇本体１の開口部は、該仏壇本体１の前面部から側面部に亘って設けられており、それにより上記左右の側板３Ａ，３Ｂは、たとえば左側の側板３Ａは前面側から背面側までの１枚板構造となっているが、他方右側の側板３Ｂは、側面側開口部を除く背面側所定幅の狭い構造（側面全体の１／２より少し狭い幅）となっている（図２参照）。
【００２６】
一方、扉２は、縦方向に長い正面側左右２枚、側面側１枚の第１〜第３の３枚の扉板（扉体）２ａ，２ｂ，２ｃよりなり、側面側第３の扉板２ｃの一端側上下両端をボールピボット２０，２０で天板５Ａおよび底板５Ｂ部分に相対回動自在に枢支し、その他端側を第２の扉板２ｂの一端に相互に直交する形で直角に結合固定している一方、該第２の扉板２ｂの他端側上下を第１の扉板２ａの一端に蝶番２１，２１を介して相互に回動自在に蝶着している。また、該第１の扉板２ａの他端側上下両端部分はボールキャスター２２，２２の金属製のボール（金属球）２２ａ，２２ａを介して、天板５Ａ，底板５Ｂ両側のガイド溝５０，５０部分に摺動自在に係合している。
【００２７】
これにより前面側開口部を覆う第１、第２の扉体と、該第２の扉体の一端に直角に結合されて側面側開口部を覆う第３の扉体よりなる扉２が、仏壇本体（その開口部）１に対し、第３の扉体の一端側を回動支点、第１の扉体の他端側をガイド部として、開閉作動し、後述のように前面側開口部を開放した全開状態では、第１〜第３の各扉体が側面側開口部側方に位置して保持されるようになっている。
【００２８】
側面側第３の扉板２ｃの一端側上下両端を天板５Ａおよび底板５Ｂに枢支しているボールピボット２０，２０は、たとえば図４に示すように、金属製のボール（金属球）２０ａ，２０ａと、該金属製のピボットボール２０ａ，２０ａを回転自在に支持した状態で第３の扉板２ｃの上下各端部内に埋め込まれて固定される筒状のボールホルダー２０ｃとからなり、ボールホルダー２０ｃの上端部外周には取り付け固定用のフランジ２０ｂが設けられており、該フランジ２０ｂを介して側面側第３の扉板２ｃの一端側上下両端にビス固定されている。
【００２９】
一方、天板５Ａおよび底板５Ｂの対応する部分には、上記ピボットボール２０ａ，２０ａの球面曲率に応じた半凹球面のピボットホール（凹部）５０ａ，５０ａが設けられており、上記ピボットボール２０ａ，２０ａの上記ボールホルダー２０ｃからの突出部を同ピボットホール（凹部）５０ａ，５０ａ部分に係合することにより取り外し可能に係合して枢支されている。
【００３０】
ボールキャスター２２，２２も、たとえば図５に示すように、そのキャスター部分は、上記ボールピボット２０，２０と略同様に構成されている。すなわち、金属製のボール（金属球）２２ａ，２２ａと、該金属製のボール２２ａ，２２ａを回転自在に支持した状態で第１の扉板２ａの上下各端部内に埋め込まれて固定される筒状のボールホルダー２２ｃ，２２ｃとからなり、ボールホルダー２２ｃ，２２ｃの上端部外周には取り付け固定用のフランジ２２ｂ，２２ｂが設けられており、該フランジ２２ｂ，２２ｂを介して第１の扉板２ａの他端側上下両端にビス固定されている。
【００３１】
一方、ガイド溝５０ｂ，５０ｂは、たとえば図３から明らかなように、それぞれ天板５Ａ，底板５Ｂ前端の正面部左右両端間に亘って設けられており、側部開口面側第３の扉板２ｃ側の端部では、少し側面側後方に鉤状に曲げられた曲成部（ストッパ部）５０ｃ、５０ｃが設けられている。ガイド溝５０ｂ，５０ｂは、上記キャスターボール２２ａ，２２ａの球面曲率に応じた断面半凹球面形状の長溝（凹溝部）に形成されており、上記キャスターボール２２ａ，２２ａの上記ボールホルダー２２ｃ，２２ｃからの突出部を同断面半凹球面形状の長溝（凹溝部）部分に転動可能に取り外し可能に係合している。  そして、それにより上記ボールキャスター２２，２２がキャスターボール２２ａ，２２ａを介し上記ガイド溝５０ｂ、５０ｂにガイドされて上記天板５Ａ，底板５Ｂ前端の正面部左右両端間を図１０の（ａ）〜（ｃ）、（ｃ）〜（ａ）のように自由に往復動するようになっている。
【００３２】
この往復動は、上記扉２の正面側中央に位置して設けられている引き手２３中央部の引き手部２３ｃを持って、手前側に引き、また逆に押すことによって所望に実現される。この引き手２３は、上記第２の扉体２ｂの他端に沿う第１の扉体２ａの一端（正面側中央部位置）に設けられており、上記第１の扉体２ａの上下長さに対応した１本の長尺部材の上端部２３ａおよび下端部２３ｂをそれぞれ第２の扉体２ｂの一端に接合一体化するとともに、それらの間の中央部に前方に湾曲突出した引き手部（取っ手部）２３ｃを設けて構成されている（図１および図２参照）。
【００３３】
このように上記ボールキャスター２２，２２がキャスターボール２２ａ，２２ａを介しガイド溝５０ｂ、５０ｂにガイドされて天板５Ａ，底板５Ｂ前端の正面部左右両端間を図１０の（ａ）〜（ｃ）、（ｃ）〜（ａ）のように自由に往復動する場合、扉２の第１〜第３の扉板２ａ，２ｂ，２ｃは、次のような動作形態となる。
【００３４】
（１）第１の扉板２ａ
引き手部２３ｃを持って操作される扉２の開放時にはその一端側（右端側）が手前側（仏壇前方側）に引かれる。すると、それに応じて、ボールキャスター２２，２２がキャスターボール２２ａ，２２ａを介しガイド溝５０ｂ、５０ｂによりガイドされて天板５Ａ，底板５Ｂ前端の正面部左右両端間を左から右に移動し、図１０（ａ）の全閉状態から図１０（ｂ）の半開状態に変化する。他方、閉められる場合は、これと逆の動作となる。
【００３５】
（２）第２の扉板２ｂ
第１の扉板２ａが天板５Ａ，底板５Ｂ前端の正面部左右両端間を左から右に移動し、図１０の（ａ）全閉状態から図１０の（ｂ）半開状態に変化した時は、第１の扉板２ａとの間の蝶番２１，２１部分でくの字状に相対回動し、右斜め前方に飛び出した状態となる。しかし、第３の扉板２ｃとは直角に接合一体化されているので、相対角（９０度）は変わることなく、第３の扉板２ｃ一端のボールピボット２０，２０部分を中心として後方に弧回動する。他方、閉められる場合は、これと逆の動作となる。
【００３６】
（３）第３の扉板２ｃ
第３の扉板２ｃは、その他端側に直角に結合一体化された上記第２の扉板２ｂを介し、上記第１の扉板２ａの左から右への移動にリンクして、第２の扉板２ｂと共にボールピボット２０，２０部分を中心に後方に向けて弧回動する。他方、閉められる場合は、これと逆の動作となる。
【００３７】
これら（１）〜（３）の動作（開く動作）が継続され、最終的に上記第１の扉板２ａの他端が天板５Ａ，底板５Ｂ前端の正面部左右両端間を左から右端まで移動すると、扉２の第１〜第３の扉板２ａ，２ｂ，２ｃは、図１０の（ｃ）のような全開状態となり、上記ボールキャスター２２，２２のキャスターボール２２ａ，２２ａは、ガイド溝５０ｂ，５０ｂの曲成部５０ｃ部分に少し回り込んだ状態で停止し、戻り方向にストッパが掛けられて安定した扉開放状態に維持される。この扉全開状態では、第１〜第３の扉板２ａ，２ｂ，２ｃは、図１０の（ｃ）に示すように、平面視コの字状態で側面側開口部右側に位置して仏壇本体１と平行に保持される。この扉２の全開状態における仏壇本体１の正面図が図７である。
【００３８】
この図７の仏壇設置状態は、例えば仏壇本体１の左側に障害物（壁や家具）があるなど、左側に扉２を開けることができない場合に対応した設置状態であり、右側に自由に開けることできるようにしている。
【００３９】
そして、この扉２が開いた図７の正面図に示されるように、上記仏壇本体１内の天板５Ａの下面および底板５Ｂの上面には、各々所定の厚さの中桟６Ａ，６Ｂが一体に固定して設けられている。これらの中桟６Ａ，６Ｂの中央には、所定の内径、所定の深さの円形溝６０，６０が設けられている。また、中桟６Ａと天板６Ａ，中桟６Ｂと底板６Ｂとの間には、上記円形溝６０，６０と仏壇本体外部（背面側外部）に連通する形で、全体として断面円形構造となった照明器具の配線挿通孔６１，６１が設けられている。そして、天板５Ａ側の中桟６Ａに形成された円形溝６０には、筒体構造の嵌合部（嵌合ケース）を備えた照明器具９が、当該嵌合部を利用して嵌合固定され、その配線部分を上記配線挿通孔６１を通して外部に導出している。
【００４０】
また、上記底板５Ｂ上の中桟６Ｂの上部には抽斗ユニット７が載置され、該抽斗ユニット７の上部には、さらに棚ユニット８が載置されている。
【００４１】
抽斗ユニット７は、上下２枚の天板７０ａと底板７０ｂの両端間に左右２枚の側板７０ｃ，７０ｄ、それに背板７０ｅ（図示省略）を備えて箱型の匡体を構成し、その下部側に引き出しケース７１、上部側に経板７２を、それぞれ引き出し、収納自在に収納して構成されている。この照明器具９の嵌合状態は、一定の嵌合圧で円形溝６０内に着脱可能となっており、必用に応じて自由に外部に取り出すことができるようになっている。そして、後述するように、当該仏檀本体１が上下逆にして設置される場合には、底板５Ｂ側の中桟６Ｂに形成されている円形溝６０に嵌合して同様に取り付けられることになる（図１０参照）。
【００４２】
上記箱型の匡体の底板７０ｂの下面中央部には、仏壇本体１側の上下中桟６Ａ，６Ｂ中央部の円形溝６０，６０内に嵌合する円形の凸部７３が設けられており、この円形の凸部７３を上記仏壇本体側の上下中桟６Ａ，６Ｂ中央部の円形溝６０，６０内に嵌合することにより、位置決め固定されるようになっている。なお、符号７４は、引きだしケース７１の前面板部分に設けられた取っ手用の指挿入用凹部である。
【００４３】
抽斗ユニット７は、底板７０ｂ下面中央部の円形の凸部７３を仏壇本体側の中桟６Ｂ中央部の円形溝６０内に嵌合して位置決め固定されているとは言え、基本的には仏壇本体内の中桟６Ｂの上部に上から載置してあるだけであり、必用に応じて自由に外部に取り出すことができる。また、棚ユニット８の場合にも同様であり、単に抽斗ユニット７の天板７０ａの上部に載置されているだけであり、自由に外部に取り出すことができる。なお、この抽斗ユニット７は、後述するように、当該仏檀本体１が上下逆にして設置される場合には、天板５Ａ側の中桟６Ａに形成されている円形溝６０に嵌合して同様に取り付けられることになる（図１０参照）。
【００４４】
上記のようにして、照明器具９、抽斗ユニット７、棚ユニット８を取り出した状態の正面図が図８である。
【００４５】
ところで、以上の説明および図１〜図８の構成から明らかなように、本実施の形態の仏壇本体１は、天板５Ａ側上部および底板５Ｂ側下部の全ての構成が上下同一に構成されている。ただ、図１〜図８の設置状態では、扉２が右側に開かれるように構成されているだけである。
【００４６】
したがって、いま例えば、上記照明器具９、抽斗ユニット７、棚ユニット８を取り出した図８の状態における仏壇本体１の上下位置を逆にして設置することが可能である。このように上下位置を反転させた状態の仏壇本体１の構成（図８と同様の正面図）を図９に示す。
【００４７】
この図９の構成から明らかなように、本実施の形態における仏檀本体１は、上下を逆にしてもその構成自体は全く同一であり、図９では、例えば図８の底板５Ｂが天板５Ａ側に、同底板５Ｂ側の中桟６Ｂが同じく天板５Ａ側に、その逆に、図８の天板５Ａが底板５Ｂ側に、同天板５Ａ側の中桟６Ａが底板５Ｂ側に位置を変えるだけである（この関係を分かりやすくするために、図９では符号は元の図８のままとしてある）。一方、それにもかかわらず、扉２は、上記図７の場合とは逆に左側に開放されることになる。この結果、このような設置状態によれば、例えば仏壇本体１の右側に障害物（壁や家具など）があり、図７のように設置したのでは右側に扉２を開けることができない場合にも適切に対応して設置できるようになる。
【００４８】
そして、このような設置状態にした上で、上記図７の場合と同様に、底板（天板）５Ａ側の中桟６Ａ上に上記抽斗ユニット７、棚ユニット８を収納セットし、抽斗ユニット７下部の凸部７３を中桟６Ａの円形溝６０に嵌合して固定する一方、天板（底板）５Ｂ側中桟６Ｂの円形溝６０に照明器具９を嵌合設置し、その配線を配線挿通用の孔６１を通して背面側に引き出す。
【００４９】
これにより、上記図７の場合と全く同様に使用することができ、左右が逆になるだけで、図１０（ａ）〜（ｃ）、図１０の（ｃ）〜（ａ）のようにスムーズに扉２を開閉することができる。
【符号の説明】
【００５０】
１は仏壇本体、２は扉、２ａは第１の扉体、２ｂは第２の扉体、２ｃは第３の扉体、３Ａは仏壇本体左側の側板、３Ｂは仏壇本体右側の側板、４は背板、５Ａは天板、５Ｂは底板、６Ａは天板側中桟、６Ｂは底板側中桟、７は抽斗ユニット、８は棚ユニット、９は照明器具、２０はボールピボット、２１は蝶番、２２はボールキャスター、５０ａはピボットホール、５０ｂはガイド溝、５０ｃは曲成部、６０は円形溝である。
【図１】
0003213896.tif 000003
【図２】
0003213896.tif 000004
【図３】
0003213896.tif 000005
【図４】
0003213896.tif 000006
【図５】
0003213896.tif 000007
【図６】
0003213896.tif 000008
【図７】
0003213896.tif 000009
【図８】
0003213896.tif 000010
【図９】
0003213896.tif 000011
【図１０】
0003213896.tif 000012